(57)【要約】      （修正有）【課題】生活習慣病等の予防・改善に寄与するため、簡易なラドンガス発生装置を提供する。【解決手段】ラドンガス発生装置１の主体部である横置き槽２内は、送風機４から導入された空気によって、カートリッジ式網構造体７が送風流れと直交して配置され、かつ空気流れに対し併流状態を形成させている。支持構造体群は横置き槽２内の隅部など適宜の箇所に配置した支持脚９によって槽内下部長手方向に適宜断面積を有する空気通路５が形成され、空気通路５からカートリッジ式支持構造体群７を透過上昇する送風流れに沿って各カートリッジ式構造体７のラジウム鉱石片（ラドン−２２２ガス発生源物質）６からラドンガスを発生させる。多層に積み上げた構造体７から発生したラドンガスを通気によって上昇させ、ガス取出口１０から外部に追い出してラドンガス源とする。【選択図】図１
0003151582.tif 000002
【実用新案登録請求の範囲】
【請求項１】
横置き形ラドンガスを発生槽の一方に送風機を備えた空気導入口を設け、槽の他方に取出し口を設けると共に、槽内の底部近くから中ほどにかけてラジウム鉱石片支持網を多層に敷き並べ、送風機の駆動により通風して各層網上のラジウム鉱石片からラドンガスを発生させて槽上部の取出口から取出すようにしたラドンガス発生装置。  
【請求項２】
前記ラドンガス発生槽の一方に送風機を設け、ラジウム鉱石片支持網エレメントまたはカートリッジ式構造体が送風流れと直交して配置され、かつ空気流れに対し併流状態を形成させたことを特徴とするラドンガス発生装置。
【請求項３】
前記槽内にラジウム鉱石片を金網間に装入した板状成形体を集合したカ−トリッジ式構造体が気流の流れと直交する方向に垂直配置され、且つ前記カ−トリッジが気流の流れの方向に複数段配置されている請求項１に記載のラドンガス発生装置。  
【請求項４】
前記ラジウム鉱石片又は、ラジウム鉱石粉に、粘土、セメント、化学接着剤、麦粉、椨粉（たぶこ）などの賦形剤を混練し固めて定形又は不定形の塊状またはブリケット状に成形されたもの（ラドンガス発生体）を使用することを特徴とするラドンガス発生用装置。
【考案の詳細な説明】
【技術分野】
【０００１】
本考案は、ラドンガスを呼吸器系などから吸入させて代謝機能を促進したり、弱放射線療法によって生活習慣病等の予防・改善に寄与したりするラドンガス発生源及びラドンガス発生装置に関する。
【背景技術】
【０００２】
ラドン-222は、常温で化学的に安定な気体であり、原子番号８６、原子量222、無色無臭希ガス族放射性元素であって、ラジウム原子量226のアルファ崩壊によって発生する。
ラドン-222の半減期は約３．８日であるため、我々が健康の維持・増進、疲労回復、予防医学などの目的のために利用するには格好の元素である。ラドン-222は自然界の雰囲気中に存在し、我々は知らず知らずのうちにある量を呼吸しているが、血液中に取り込まれたラドンから発生するアルファ線による刺激（ホルミシス）効果に着目した利用などが検討されている。
ラドン等の放射性壊変生成物を含有する温泉などの天然施設は各種疫病に対する治癒効果があることも知られており、天然施設と同等の効果を得るために、放射性壊変生成物を含有する水溶液を人工的に生成する装置が提案されている。例えば、抽出槽内の温水溶液中に沈殿させた攪拌槽内を上下フィルタ板で区画し、当該区画内にトロンやラドン等の放射性物質含有鉱物石を収容して抽出槽上部に存在する気体を下部フィルタの底部側に圧送し、攪拌槽内の上部に存在する気体を上部フィルタの底部側に圧送して攪拌槽中に噴霧させることにより顆粒状鉱石を攪拌する一方、抽出槽底部より導出した温水溶液を抽出槽の上方から噴霧することによって抽出槽上部の気体中に溶出したガス状の放射性壊変生成物を温水溶液中に溶融させるようにした装置が提案されている（特許文献１）。
また、ラドンミストを利用する装置としては、平面が台形に構成された箱形の密閉室内にベッドと同ベット上に給湯されるラドン温泉湯をベッドに横臥した患者の頭部から足先部まで充満流過させてマサージ効果を与える等身大のマットを配置し、密閉室内に噴霧させたラドン温泉湯ミストの吸気とマッサージ効果をもつマットによって肩こりや腰痛などの痛みを解消するようにした弱放射能温泉療法施設（特許文献２）や、原料水の加熱手段を備えた蒸気槽と、放射性物質を担持させた多孔質セラミックスパネルとを備えたラドン放出槽とからなるラドンミスト発生装置（特許文献３）が提案されている。
【先行技術文献】
【特許文献】
【０００３】
【特許文献１】特公平６−４８３２０公報（第２頁右欄３０行から第３頁左欄３行、図１）。
【特許文献２】特開平１１−１２８３７５公報（第２頁左欄２から１８行、図２）。
【特許文献３】特開２００８−１４２３２６公報（第２頁左欄２から１８行、図２）。
【考案の概要】
【考案が解決しようとする課題】
【０００４】
ラドンガスは空気の構成分子に比べて重いうえ空気中で拡散しにくい気体であるため、発生部分の周辺に滞留する傾向がある。したがって、発生したラドンガスを有効に追い出す機構が必要になる。このため、本考案では、ラジウム-226を含む鉱石片、あるいはそれを加工したチップ状や球状のラドン-222ガス発生源物質を金網などの網状の支持構造物上に並べて配列し、これを多層に組み上げた構造体から、発生したラドンガスを通気によって外部に追い出してラドンガス源とするものであって、被験者の呼吸器系からラドンガスを吸入させて代謝機能を促進するほか、弱放射線療法によって生活習慣病等の予防、改善に寄与するため、簡易なラドンガス発生装置を提供するものである。
【０００５】
上記のように、ラドンガス発生源になるラジウム鉱石の原石を粉砕し、これを板状、チップ状、球状あるいは円筒形に成形したものを金網上に敷き並べて、あるいは保持機構で挟んで縦形に成形するなどして使用する。これは、ラドンガスの発生量は発生体の表面積に依存するので、原石よりも粉体を所定の形態に成形したものの方が効率よくラドンガスを発生させることができるためである。この場合に、ラジウム鉱石のパウダー（粉末ラジウム鉱石）、に粘土、セメント、化学接着剤、麦粉、椨粉（たぶこ）などの賦形剤を混練して固めた成形体（シート、プレート、パネル、タイル状物、球状成型体等）を使用して、ラドンガス発生量を比較検討した結果、粉末ラジウム鉱石に椨粉を少量（例えば１０から２０重量％）加えて水で練りこみ、自然乾燥させると安定した構造体に成形することができる。
特に、椨粉を混入して練ると椨の繊維が微細な空隙構造を提供することにより、成形体の内部で発生したラドンガスを成形体表面に導出する効果がすぐれ、成形体自身の自己遮蔽効果をかなり防止することができる。この成形体は用途に応じてチップ状、球状あるいは板状等、如何様にも成形可能であり、ラドンガスの発生量が粉末ラジウム鉱石と同等であり最も高いラドンガス発生源を得ることができた。
上記のように、本考案は、ラジウムを含む鉱石の粉砕物を散布した金網などの支持構造体を上下間隔をおいて多数積層し、各積層体上で発生させたラドンガスを送風機によって浴室や休養室などの特定の場所、空間に効率よく送り出すことができる。
【課題を解決するための手段】
【０００６】
上記課題を解決するため本考案の請求項１は、横置き形ラドンガス発生槽の一方に送風機を備えた空気導入口を設け、槽の他方に取出し口を設けると共に、槽内の底部近くから中ほどにかけてラジウム鉱石片支持網を多層に敷き並べ、送風機の駆動により通風して各層網上のラジウム鉱石片からラドンガスを発生させて槽上部の取出口から取出すようにしたラドンガス発生装置である。請求項２は、前記ラドンガス発生槽の一方に送風機を設け、ラジウム鉱石片支持網エレメントまたはカートリッジ式構造体が送風流れと直交して配置され、かつ空気流れに対し併流状態を形成させたことを特徴とするラドンガス発生装置である。請求項３は前記槽内にラジウム鉱石片を金網間に装入した板状成形体を集合したカ−トリッジ式構造体が気流の流れと直交する方向に垂直配置され、且つ前記カ−トリッジが気流の流れの方向に複数段配置されている請求項１に記載のラドンガス発生装置である。  
請求項４は、前記ラジウム鉱石片又は、ラジウム鉱石粉に、粘土、セメント、化学接着剤、麦粉、椨粉（たぶこ）などの賦形剤を混練し固めて定形又は不定形の塊状またはブリケット状成形物（ラドンガス発生体）を使用することを特徴とするラドンガス発生用装置である。  
【考案の効果】
【０００７】
槽内の底部近くから中ほどにかけてラジウム鉱石片支持網を多層に敷き並べ、送風機の駆動により通風して各層網上のラジウム鉱石片からラドンガスを発生させて槽上部の取出し口から取出すようにしたものであるから、呼吸器系などからラドンガスを吸入させて代謝機能を促進するほか、弱放射線療法によって生活習慣病等の治癒に寄与するため、簡易なラドンガス発生装置として有益である。
さらに、詳しく述べると、ラジウム鉱石粉（ラドンガス発生源物質））に椨（タブ）の木皮を粉砕した椨粉を少量（例えば１０から２０重量％）加えて水で練りこみ、所定大きさの球体、円筒体などに成形し自然乾燥させると安定した構造体とする。特に、椨粉を混入して練ると椨の繊維が微細な空隙構造を提供することにより、成形体の内部で発生したラドンガスを成形体表面に導出する効果がすぐれ、成形体自身の自己遮蔽効果が向上する。この成形体は用途に応じて球体、円筒体のブリケット以外にチップ状、板状、角柱状、多面体等、如何様にも成形可能であり、ラドンガスの発生量が粉末ラジウム鉱石と同等であり最も高いラドンガス発生源としうるため、ラジウムを含む鉱石の粉砕物を金網上に散布したものを上下間隔をおいて多数積層し、各積層体で発生させたラドンガスを送風機によって浴室や休養室などの空間に送り出すことによって各種病状に対する予防・改善効果を発揮することができる。
【図面の簡単な説明】
【０００８】
【図１】本考案ラドンガス発生装置の正面図。
【図２】図１の縦断側面図。
【図３】ラジウム鉱石砕片支持体の平面図。
【図４】ラジウム鉱石砕片支持体を多数縦置きしたラドンガス発生装置の側面図。
【図５】図４における鉱石砕片支持体の１層分を拡大して示した断面図である。
【図６】ラジウム鉱石砕片支持体の垂直配列体をラドンガス発生装置内の長手方向に多数平行流型に配置した変形例の一部破断斜視図である。
【考案を実施するための形態】
【０００９】
図１は本考案ラドンガス発生装置の正面図、図２は図１の縦断側面図、図３はラジウム鉱石砕片支持体の平面図である。
ラドンガス発生装置１は、横置き槽２の一方に送風機４を備えた給気口（空気導入口）３を設け、横置き槽２の上壁端近くにガス取出口１０を設けると共に、槽内の底部近くに所定高さの空気通路５を形成させ、その上方にラジウム-226を含む鉱石片あるいはそれを加工したチップ状や球状のラドン-222ガス発生源物質６を支持させた金網８を多層に重ねたカートリッジ式支持構造体７が、送風流れと直交して複数段（図１では６段）配置されている。前記ラジウム鉱石片又は、ラジウム鉱石粉（ラドンガス発生源物質））に椨（タブ）の木皮を粉砕した椨粉を少量（例えば１０から２０重量％）加えて水で練りこみ、所定大きさの球体、円筒体などに成形し自然乾燥させると安定した構造体とする。特に、椨粉を混入して練ると椨の繊維が微細な空隙構造を提供することにより、成形体の内部で発生したラドンガスを成形体表面に導出する効果がすぐれ、成形体自身の自己遮蔽効果が向上する。この成形体は用途に応じて球体、円筒体のブリケット以外にチップ状、板状、角柱状、多面体等、如何様にも成形可能である。
【００１０】
ラドンガス発生装置１の主体部である横置き槽２内は、送風機４から導入された空気によって、カートリッジ式網構造体７が送風流れと直交して配置され、かつ空気流れに対し併流状態を形成させている。支持構造体群は横置き槽２内の隅部など適宜の箇所に配置した支持脚９によって槽内下部長手方向に適宜断面積を有する空気通路５が形成され、空気通路５からカートリッジ式支持構造体群７を透過上昇する送風流れに沿って各カートリッジ式構造体７のラジウム鉱石片（ラドン-222ガス発生源物質）６からラドンガスを発生させる。多層に積み上げた構造体７から発生したラドンガスを通気によって上昇させ、ガス取出口１０から外部に追い出してラドンガス源とする。横置き槽２内に滞留したラドンガスは、槽内下流隅部の上壁に形成したガス取出し口１０から浴室、安静室（図示省略）などへ連続的に供給される。
【００１１】
図４はラドンガス発生装置の変形例を示すもので、ガス発生槽６内に多数のラジウム鉱石片支持構造物を多数縦置き構造とした状態の断面図、図５は図４における鉱石砕片支持体の１層分の拡大断面図である。
この例のラジウム鉱石片支持体１２は、図５に示すように、ラジウム鉱石片６を、例えば２枚の強固な金網状物８ａ、８ａの掌合体内に封入し、その掌合縁の数箇所をクリップトメ留め１３、１３するなどの工夫をしたもので、これをガス発生槽１内に多数立設する。
このときのガス発生槽１は、図４に示すように、一方に送風機３を備えた給気口４を設け、他方にガス取出口１０を設ける。多層に列設したラジウム鉱石片支持体１２から発生したラドンガスを矢印に示すごとく通気によって送り出し、ガス取出口１０から外部に追い出されて浴室、安静室（図示省略）などへ連続的に供給される。
【００１２】
図６は多数のラジウム鉱石片支持体の垂直配列群を、ラドンガス発生装置内の長手方向に多数平行流型に配置した変形例の一部破断斜視図である。
この例は、ガス発生槽１５の底部に長手方向に間隔をおき、且つ発生槽１５の内壁間に跨る多数の基台１６、１６を設け、隣接する基台１６、１６間に、金網によってラジウム鉱石片を挟込んだ支持構造物１４、１４を発生槽１５の横断面方向に多数縦置きした構造としたもので、列設したラジウム鉱石片支持構造物１４から発生したラドンガスは通気によって送り出され、ガス取出口１０から外部に追い出して浴室、安静室などへ連続的に供給される。
【産業上の利用可能性】
【００１３】
上記のように、本考案は、槽内の底部近くから中ほどにかけてラジウム鉱石片支持網を多層に敷き並べ、送風機の駆動により通風して各層網上のラジウム鉱石片からラドンガスを発生させて槽上部の取出口から取出すようにしたものであるから、呼吸器系などからラドンガスを吸入させて代謝機能を促進するほか、弱放射線療法によって生活習慣病等の予防、改善に寄与するため、簡易なラドンガス発生装置として有益なものである。
【符号の説明】
【００１４】
１  ラドンガス発生装置            ２  横置き槽  
３  送風機                        ４  給気口  
５  空気通路                      ６  ガス発生源物質（ラジウム鉱石片）
７  支持構造体                    ８  金網
８ａ  金網状物                      
１０  ラドンガス取出口            １２  カートリッジ式構造体（鉱石片支持体）
１３  クリップ留め                １４  金網（支持構造物）  
１５  発生槽                      １６  カートリッジ式構造体の支持基台
【図１】
0003151582.tif 000003
【図２】
0003151582.tif 000004
【図３】
0003151582.tif 000005
【図４】
0003151582.tif 000006
【図５】
0003151582.tif 000007
【図６】
0003151582.tif 000008
【手続補正書】
【提出日】平成21年1月23日(2009.1.23)
【手続補正１】
【補正対象書類名】明細書
【補正対象項目名】０００６
【補正方法】変更
【補正の内容】
【０００６】
上記課題を解決するため本考案の請求項１は、横置き形ラドンガス発生槽の一方に送風機を備えた空気導入口を設け、槽の他方に取出し口を設けると共に、槽内の底部近くから中ほどにかけてラジウム鉱石片支持網を多層に敷き並べ、送風機の駆動により通風して各層網上のラジウム鉱石片からラドンガスを発生させて槽上部の取出口から取出すようにしたラドンガス発生装置である。請求項２は、前記ラドンガス発生槽の一方に送風機を設け、ラジウム鉱石片支持網エレメントまたはカートリッジ式構造体が送風流れと直交して配置され、かつ空気流れに対し併流状態を形成させたことを特徴とする請求項１に記載のラドンガス発生装置である。請求項３は、前記槽内にラジウム鉱石片を金網間に装入した板状成形体を集合したカ−トリッジ式構造体が気流の流れと直交する方向に垂直配置され、且つ前記カ−トリッジが気流の流れの方向に複数段配置されている請求項１に記載のラドンガス発生装置である。請求項４は、ラジウム鉱石片又は、ラジウム鉱石粉に、粘土、セメント、化学接着剤、麦粉、椨粉（たぶこ）などの賦形剤を混練し固めて定形又は不定形の塊状またはブリケット状に成形されたもの（ラドンガス発生体）を使用することを特徴とするラドンガス発生装置である。
【手続補正２】
【補正対象書類名】明細書
【補正対象項目名】０００７
【補正方法】変更
【補正の内容】
【０００７】
槽内の底部近くから中ほどにかけてラジウム鉱石片支持網を多層に敷き並べ、送風機の駆動により通風して各層網上のラジウム鉱石片からラドンガスを発生させて槽上部の取出し口から取出すようにしたものであるから、呼吸器系などからラドンガスを吸入させて代謝機能を促進するほか、弱放射線療法によって生活習慣病等の治癒に寄与するため、簡易なラドンガス発生装置として有益である。
さらに、詳しく述べると、ラジウム鉱石粉（ラドンガス発生源物質）に椨（タブ）の木皮を粉砕した椨粉を少量（例えば１０から２０重量％）加えて水で練りこみ、所定大きさの球体、円筒体などに成形し自然乾燥させると安定した構造体とする。特に、椨粉を混入して練ると椨の繊維が微細な空隙構造を提供することにより、成形体の内部で発生したラドンガスを成形体表面に導出する効果がすぐれ、成形体自身の自己遮蔽効果が向上する。この成形体は用途に応じて球体、円筒体のブリケット以外にチップ状、板状、角柱状、多面体等、如何様にも成形可能であり、ラドンガスの発生量が粉末ラジウム鉱石と同等であり最も高いラドンガス発生源としうるため、ラジウムを含む鉱石の粉砕物を金網上に散布したものを上下間隔をおいて多数積層し、各積層体で発生させたラドンガスを送風機によって浴室や休養室などの空間に送り出すことによって各種病状に対する予防・改善効果を発揮することができる。
【手続補正３】
【補正対象書類名】実用新案登録請求の範囲
【補正対象項目名】全文
【補正方法】変更
【補正の内容】
【実用新案登録請求の範囲】
【請求項１】
横置き形ラドンガス発生槽の一方に送風機を備えた空気導入口を設け、槽の他方に取出し口を設けると共に、槽内の底部近くから中ほどにかけてラジウム鉱石片支持網を多層に敷き並べ、送風機の駆動により通風して各層網上のラジウム鉱石片からラドンガスを発生させて槽上部の取出口から取出すようにしたラドンガス発生装置。
【請求項２】
前記ラドンガス発生槽の一方に送風機を設け、ラジウム鉱石片支持網エレメントまたはカートリッジ式構造体が送風流れと直交して配置され、かつ空気流れに対し併流状態を形成させたことを特徴とする請求項１に記載のラドンガス発生装置。
【請求項３】
前記槽内にラジウム鉱石片を金網間に装入した板状成形体を集合したカ−トリッジ式構造体が気流の流れと直交する方向に垂直配置され、且つ前記カ−トリッジが気流の流れの方向に複数段配置されている請求項１に記載のラドンガス発生装置。
【請求項４】
ラジウム鉱石片又は、ラジウム鉱石粉に、粘土、セメント、化学接着剤、麦粉、椨粉（たぶこ）などの賦形剤を混練し固めて定形又は不定形の塊状またはブリケット状に成形されたもの（ラドンガス発生体）を使用することを特徴とするラドンガス発生装置。
【手続補正書】
【提出日】平成21年4月20日(2009.4.20)
【手続補正１】
【補正対象書類名】明細書
【補正対象項目名】全文
【補正方法】変更
【補正の内容】
【考案の詳細な説明】
【技術分野】
【０００１】
本考案は、ラドンミストを身体表面に接触及び/または呼吸器系から吸入させて代謝機能を促進したり、弱放射能療法によって生活習慣病等の治癒に寄与したりするラドンガス発生装置に関する。
【背景技術】
【０００２】
ラドン-222は、常温で化学的に安定な気体であり、原子番号８６、原子量222、無色無臭希ガス族放射性元素であって、ラジウム原子量226のアルファ崩壊によって発生する。
ラドン-222の半減期は約３．８日であるため、我々が健康の維持・増進、疲労回復、予防医学などの目的のために利用するには格好の元素である。ラドン-222は自然界の雰囲気中に存在し、我々は知らず知らずのうちにある量を呼吸しているが、血液中に取り込まれたラドンから発生するアルファ線による刺激（ホルミシス）効果に着目した利用などが検討されている。
ラドン等の放射性壊変生成物を含有する温泉などの天然施設は各種疫病に対する治癒効果があることも知られており、天然施設と同等の効果を得るために、放射性壊変生成物を含有する水溶液を人工的に生成する装置が提案されている。例えば、抽出槽内の温水溶液中に沈殿させた攪拌槽内を上下フィルタ板で区画し、当該区画内にトロンやラドン等の放射性物質含有鉱物石を収容して抽出槽上部に存在する気体を下部フィルタの底部側に圧送し、攪拌槽内の上部に存在する気体を上部フィルタの底部側に圧送して攪拌槽中に噴霧させることにより顆粒状鉱石を攪拌する一方、抽出槽底部より導出した温水溶液を抽出槽の上方から噴霧することによって抽出槽上部の気体中に溶出したガス状の放射性壊変生成物を温水溶液中に溶融させるようにした装置が提案されている（特許文献１）。
また、ラドンミストを利用する装置としては、平面が台形に構成された箱形の密閉室内にベッドと同ベット上に給湯されるラドン温泉湯をベッドに横臥した患者の頭部から足先部まで充満流過させてマサージ効果を与える等身大のマットを配置し、密閉室内に噴霧させたラドン温泉湯ミストの吸気とマッサージ効果をもつマットによって肩こりや腰痛などの痛みを解消するようにした弱放射能温泉療法施設（特許文献２）や、原料水の加熱手段を備えた蒸気槽と、放射性物質を担持させた多孔質セラミックスパネルとを備えたラドン放出槽とからなるラドンミスト発生装置（特許文献３）が提案されている。
【先行技術文献】
【特許文献】
【０００３】
【特許文献１】特公平６−４８３２０公報（第２頁右欄３０行から第３頁左欄３行、図１）。
【特許文献２】特開平１１−１２８３７５公報（第２頁左欄２から１８行、図２）。
【特許文献３】特開２００８−１４２３２６公報（第２頁左欄２から１８行、図２）。
【考案の概要】
【考案が解決しようとする課題】
【０００４】
ラドンガスは空気の構成分子に比べて重いうえ空気中で拡散しにくい気体であるため、発生部分の周辺に滞留する傾向がある。したがって、発生したラドンガスを有効に追い出す機構が必要になる。このため、本考案では、ラジウム-226を含む鉱石片（以下「ラジウム鉱石片」という）、あるいはそれを加工したチップ状や球状のラドン-222ガス発生源物質を金網などの網状の支持構造物上に並べて配列したものをラドンガス発生源として、これを多層に組み上げた構造体から、発生したラドンガスをラドンガス発生槽に蓄えてこれを送風機の駆動による通気によって外部に追い出してラドンガス源とするものであって、身体表面に接触及び/または呼吸器系からラドンミストを吸入させて代謝機能を促進するほか、弱放射能療法によって生活習慣病等の治癒に寄与するため、簡易なラドンガス発生装置を提供するものである。
【０００５】
上記のように、ラドンガス発生源になるラジウム鉱石片及びラジウム鉱石の原石を粉砕し、これを板状、チップ状あるいは球状に成形したものを金網上に敷き並べて使用する。これは、ラドンガスの発生量は発生体の表面積に依存するので、原石よりも粉体を所定の形態に成形したものの方が効率よくラドンガスを発生させることができるためである。この場合に、ラジウム鉱石のパウダー、チップに粘土、セメント、化学接着剤、麦粉、椨粉（たぶこ）などの賦形剤を混練して固めた成形体（シート、プレート、パネル、タイル状物、球状成型体等）を使用して、ラドンガス発生量を比較検討した結果、粉末ラジウム鉱石に椨粉を少量（例えば１０から２０重量％）加えて水で練りこみ、自然乾燥又は素焼きすると安定した構造体に成形することができる。
特に、椨粉を混入して練ると椨の繊維が微細な空隙構造を提供することにより、成形体の内部で発生したラドンガスを成形体表面に導出する効果がすぐれ、成形体自身の自己遮蔽効果をかなり防止することができる。この成形体は用途に応じてチップ状、球状あるいは板状等、如何様にも成形可能であり、ラドンガスの発生量が粉末ラジウム鉱石と同等であり最も高いラドンガス発生源を得ることができた。
上記のように、本考案は、ラドンガス発生源を封入した金網などの支持構造体を上下間隔をおいて多数積層し、各積層体上で発生させたラドンガスをラドンガス発生槽に蓄え、これを送風機の駆動による通風によって居間、溶室、寝室、事務室、休養室などの特定の場所、空間に効率よく送り出すことができる。
【課題を解決するための手段】
【０００６】
上記課題を解決するため本考案の請求項１は、ラドンガス発生槽の一方に送風機を備えた空気導入口を設け、槽の他方に取出し口を設けると共に、槽内の底部近くから中ほどにかけてラドンガス発生源支持網を多層に敷き並べ、送風機の駆動により通風して各層網上のラドンガス発生源からラドンガスを発生させて槽の取出口から取出すようにしたラドンガス発生装置である。請求項２は、前記一方に送風機を設け、ラドンガス発生源支持網エレメントまたはカートリッジ式構造体が送風流れと直交して配置され、かつ空気流れに対し併流状態を形成させていることを特徴とする請求項１に記載のラドンガス発生装置。請求項３は、前記槽内にラドンガス発生源を金網間に装入した板状成形体を集合したカ−トリッジ式構造体が気流の流れと直交する方向に垂直配置され、且つ前記カ−トリッジが気流の流れの方向に複数段配置されている請求項１に記載のラドンガス発生装置であり、請求項４は、前記ラドンガス発生源は、ラジウム鉱石片又はラジウム鉱石粉に、粘土、セメント、化学接着剤、麦粉、椨粉（たぶこ）などの賦形剤を混練し固めて定形又は不定形の塊状もしくはブリケット状成形物を自然乾燥又は素焼きしたものである請求項１から３のいずれか１つの項に記載のラドンガス発生装置である。
【考案の効果】
【０００７】
槽内の底部近くから中ほどにかけてラジウム鉱石片支持網を多層に敷き並べ、送風機の駆動により通風して各層網上のラジウム鉱石片からラドンガスを発生させて槽上部の取出し口から取出すようにしたものであるから、身体表面に接触及び/または呼吸器系からラドンミストを吸入させて代謝機能を促進するほか、弱放射能療法によって生活習慣病等の治癒に寄与するため、簡易なラドンガス発生装置として有益である。
さらに、詳しく述べると、粉末ラジウム鉱石（ラドンガス発生源物質）に椨（タブ）の木皮を粉砕した椨粉を少量（例えば１０から２０重量％）加えて水で練りこみ、自然乾燥または素焼きして安定した構造体に成形する。特に、椨粉を混入して練ると椨の繊維が微細な空隙構造を提供することにより、成形体の内部で発生したラドンガスを成形体表面に導出する効果がすぐれ、成形体自身の自己遮蔽効果が向上する。この成形体は用途に応じてチップ状、球状あるいは板状等、如何様にも成形可能であり、ラドンガスの発生量が粉末ラジウム鉱石と同等であり最も高いラドンガス発生源としうるため、ラドンガス発生源を封入した金網などの支持構造体を上下間隔をおいて多数積層し、各積層体上で発生させたラドンガスをラドンガス発生槽に蓄え、これを送風機の駆動による通風によって居間、溶室、寝室、事務室、休養室などの特定の場所、空間に効率よく送り出すことができる。また、ラジウムを含む鉱石の粉砕物を金網上に散布したものを上下間隔をおいて多数積層し、各積層体で発生させたラドンガスを送風機によって浴室や休養室などの空間に送り出すことによって各種疫病に対する治癒効果を発揮することができる。
【図面の簡単な説明】
【０００８】
【図１】本考案ラドンガス発生装置の一部破断斜視図。
【図２】図１の縦断側面図。
【図３】ラジウム鉱石砕片支持体の平面図。
【図４】ラジウム鉱石砕片支持体を多数縦置きしたラドンガス発生装置の側面図。
【図５】図４における鉱石砕片支持体の１層分を拡大して示した断面図である。
【図６】ラジウム鉱石砕片支持体の垂直配列体をラドンガス発生装置内の長手方向に多数平行流型に配置した変形例の一部破断斜視図である。
【考案を実施するための形態】
【０００９】
図１は本考案ラドンガス発生装置の一部破断斜視図、図２は図１の縦断側面図、図３はラジウム鉱石砕片支持体の平面図である。
ラドンガス発生装置１は、ラドンガス発生槽２の一方に送風機４を備えた給気口（空気導入口）３を設け、ラドンガス発生槽２の上壁端近くにガス取出口１０を設けると共に、槽内の底部近くに所定高さの空気通路５を形成させ、その上方にラジウム-226を含む鉱石片あるいはそれを加工したチップ状や球状のラドン-222ガス発生源物質６を支持させた金網８を多層に重ねたカートリッジ式支持構造体７が、送風流れと直交して複数段（図１では６段）配置されている。前記ラドンガス発生源であるラジウム鉱石片、又はラジウム鉱石粉に椨（タブ）の粘土、セメント、化学接着剤、麦粉、椨粉（たぶこ）などの賦形剤を少量（例えば１０から２０重量％）加えて水で練り混み、所定大きさの球体、円筒体などに成形し自然乾燥又は素焼きして安定した構造体とする。特に、椨粉を混入して練ると椨の繊維が微細な空隙構造を提供することにより、成形体の内部で発生したラドンガスを成形体表面に導出する効果がすぐれ、成形体自身の自己遮蔽効果が向上する。この成形体は用途に応じて球体、円筒体のブリケット以外にチップ状、板状、角柱状、多面体等、如何様にも成形可能である。
【００１０】
ラドンガス発生装置１の主体部であるラドンガス発生源２内は、送風機４から導入された空気によって、カートリッジ式網構造体７が送風流れと直交して配置され、かつ空気流れに対し併流状態を形成させている。支持構造体群はラドンガス発生源２内の隅部など適宜の箇所に配置した支持脚９によって槽内下部長手方向に適宜断面積を有する空気通路５が形成され、空気通路５からカートリッジ式支持構造体群７を透過上昇する送風流れに沿って各カートリッジ式構造体７のラドンガス発生源（ラドン-222ガス発生源物質）６からラドンガスを発生させる。多層に積み上げた構造体７から発生したラドンガスを通気によって上昇させ、ガス取出口１０から外部に追い出してラドンガス源とする。ドンガス発生源の槽２内に滞留したラドンガスは、槽内下流隅部の上壁に形成したガス取出し口１０から浴室、安静室（図示省略）などへ連続的に供給される。
【００１１】
図４はラドンガス発生装置の変形例を示すもので、ガス発生槽６内に多数のラドンガス発生源支持構造物を多数縦置き構造とした状態の断面図、図５は図４における鉱石砕片支持体の１層分の拡大断面図である。
この例のラドンガス発生源（鉱石片）支持体１２は、図５に示すように、ラドンガス発生源６を、例えば２枚の強固な金網状物８ａ、８ａの掌合体内に封入し、その掌合縁の数箇所をクリップトメ留め１３、１３するなどの工夫をしたもので、これをガス発生槽１内に多数立設する。
このときのガス発生槽１は、図４に示すように、一方に送風機３を備えた給気口４を設け、他方にガス取出口１０を設ける。多層に列設したラドンガス発生源支持体１２から発生したラドンガスを矢印に示すごとく通気によって送り出し、ガス取出口１０から外部に追い出されて浴室、安静室（図示省略）などへ連続的に供給される。
【００１２】
図６は多数のラドンガス発生源支持体の垂直配列群を、ラドンガス発生装置内の長手方向に多数平行流型に配置した変形例の一部破断斜視図である。
この例は、ラドンガス発生槽１５の底部に長手方向に間隔をおき、且つ発生槽１５の内壁間に跨る多数の基台１６、１６を設け、隣接する基台１６、１６間に、金網によってラドンガス発生源を挟込んだ支持構造物１４、１４を発生槽１５の横断面方向に多数縦置きした構造としたもので、列設したラドンガス発生源支持構造物１４から発生したラドンガスは通気によって送り出され、ガス取出口１０から外部に追い出して浴室、安静室などへ連続的に供給される。
【産業上の利用可能性】
【００１３】
上記のように、本考案は、槽内の底部近くから中ほどにかけてラジウム鉱石片支持網を多層に敷き並べ、送風機の駆動により通風して各層網上のラドンガス発生源からラドンガスを発生させて槽上部の取出口から取出すようにしたものであるから、身体表面に接触及び/または呼吸器系からラドンミストを吸入させて代謝機能を促進するほか、弱放射能療法によって生活習慣病等の治癒に寄与するため、簡易なラドンガス発生装置として有益なものである。
【符号の説明】
【００１４】
１  ラドンガス発生装置          ２  ラドンガス発生槽  
３  送風機                      ４  給気口  
５  空気通路                    ６  ラドンガス発生源物質（ラジウム鉱石片）
７  支持構造体                  ８  金網
８ａ  金網状物                  ９  支持脚
１０  ラドンガス取出口          １２  カートリッジ式構造体（鉱石片支持体）
１３  クリップ留め              １４  金網（支持構造物）  
１５  発生槽                    １６  カートリッジ式構造体の支持基台
【手続補正２】
【補正対象書類名】実用新案登録請求の範囲
【補正対象項目名】全文
【補正方法】変更
【補正の内容】
【実用新案登録請求の範囲】
【請求項１】
ラドンガス発生槽の一方に送風機を備えた空気導入口を設け、槽の他方に取出し口を設けると共に、槽内の底部近くから中ほどにかけてラドンガス発生源支持網を多層に敷き並べ、送風機の駆動により通風して各層網上のラドンガス発生源からラドンガスを発生させて槽の取出口から取出すようにしたラドンガス発生装置。  
【請求項２】
前記一方に送風機を設け、ラドンガス発生源支持網エレメントまたはカートリッジ式構造体が送風流れと直交して配置され、かつ空気流れに対し併流状態を形成させていることを特徴とする請求項１に記載のラドンガス発生装置。      
【請求項３】
前記槽内にラドンガス発生源を金網間に装入した板状成形体を集合したカ−トリッジ式構造体が気流の流れと直交する方向に垂直配置され、且つ前記カ−トリッジが気流の流れの方向に複数段配置されている請求項１に記載のラドンガス発生装置。
【請求項４】
前記ラドンガス発生源は、ラジウム鉱石片又はラジウム鉱石粉に、粘土、セメント、化学接着剤、麦粉、椨粉（たぶこ）などの賦形剤を混練し固めて定形又は不定形の塊状もしくはブリケット状に成形されたものである請求項１から３のいずれか１つの項に記載のラドンガス発生装置。
【手続補正書】
【提出日】平成21年5月19日(2009.5.19)
【手続補正１】
【補正対象書類名】明細書
【補正対象項目名】全文
【補正方法】変更
【補正の内容】
【考案の詳細な説明】
【技術分野】
【０００１】
本考案は、ラドンガスを呼吸器系などから吸入させて代謝機能を促進したり、弱放射線療法によって生活習慣病等の予防・改善に寄与したりするラドンガス発生源及びラドンガス発生装置に関する。
【背景技術】
【０００２】
ラドンは、常温で化学的に安定な気体であり、原子番号８６の無色無臭希ガス族放射性元素であって、ラジウムのアルファ崩壊によって発生する。ラドン-222の半減期は約３．８日であるため、我々が健康の維持・増進、疲労回復、予防医学などの目的のために利用するには格好の元素である。ラドンは自然界の雰囲気中に存在し、我々は知らず知らずのうちにある量を呼吸しているが、血液中に取り込まれたラドンから発生するアルファ線による刺激（ホルミシス）効果に着目した利用などが検討されている。
ラドン等の放射性壊変生成物を含有する温泉などの天然施設は各種病気に対する治癒効果があることも知られており、天然施設と同等の効果を得るために、放射性壊変生成物を含有する水溶液を人工的に生成する装置が提案されている。例えば、抽出槽内の温水溶液中に沈殿させた攪拌槽内を上下フィルタ板で区画し、当該区画内にトロンやラドン等の放射性物質含有鉱物石を収容して抽出槽上部に存在する気体を下部フィルタの底部側に圧送し、攪拌槽内の上部に存在する気体を上部フィルタの底部側に圧送して攪拌槽中に噴霧させることにより顆粒状鉱石を攪拌する一方、抽出槽底部より導出した温水溶液を抽出槽の上方から噴霧することによって抽出槽上部の気体中に溶出したガス状の放射性壊変生成物を温水溶液中に溶融させるようにした装置が提案されている（特許文献１）。
また、ラドンを利用する装置としては、平面が台形に構成された箱形の密閉室内にベッドと同ベット上に給湯されるラドン温泉湯をベッドに横臥した患者の頭部から足先部まで充満流過させてマッサージ効果を与える等身大のマットを配置し、密閉室内に噴霧させたラドン温泉湯ミストの吸気とマッサージ効果をもつマットによって肩こりや腰痛などの痛みを解消するようにした弱放射能温泉療法施設（特許文献２）や、原料水の加熱手段を備えた蒸気槽と、放射性物質を担持させた多孔質セラミックスパネルとを備えたラドン放出槽とからなるラドンミスト発生装置（特許文献３）が提案されている。
【先行技術文献】
【特許文献】
【０００３】
【特許文献１】特公平６−４８３２０公報（第２頁右欄３０行から第３頁左欄３行、図１）。
【特許文献２】特開平１１−１２８３７５公報（第２頁左欄２から１８行、図２）。
【特許文献３】特開２００８−１４２３２６公報（第２頁左欄２から１８行、図２）。
【考案の概要】
【考案が解決しようとする課題】
【０００４】
ラドンガスは空気の構成分子に比べて重いうえ空気中で拡散しにくい気体であるため、発生部分の周辺に滞留する傾向がある。したがって、発生したラドンガスを有効に追い出す機構が必要になる。このため、本考案では、ラジウムを含む鉱石片（以下「ラジウム鉱石片」という）、あるいはそれを加工したチップ状や球状のラドンガス発生源物質を金網などの網状の支持構造物上に並べて配列したものをラドンガス発生源として、これを多層に組み上げた構造体から、発生したラドンガスをラドンガス発生槽に蓄えてこれを送風機の駆動による通気によって外部に追い出してラドンガス源とするものであって、被験者の呼吸器系からラドンを吸入させて代謝機能を促進するほか、弱放射線療法によって生活習慣病等の予防・改善に寄与するため、簡易なラドンガス発生装置を提供するものである。
【０００５】
上記のように、ラドンガス発生源になるラジウム鉱石片及びラジウム鉱石の原石を粉砕し、これを板状、チップ状あるいは球状に成形したものを金網上に敷き並べて使用する。これは、ラドンガスの発生量は発生体の表面積に依存するので、原石よりも粉体を所定の形態に成形したものの方が効率よくラドンガスを発生させることができるためである。この場合に、ラジウム鉱石のパウダー、チップに粘土、セメント、化学接着剤、麦粉、椨粉（たぶこ）などの賦形剤を混練して固めた成形体（シート、プレート、パネル、タイル状物、球状成型体等）を使用して、ラドンガス発生量を比較検討した結果、粉末ラジウム鉱石に椨粉を少量（例えば数重量％から２０重量％）加えて水で練りこみ、自然乾燥又は素焼きすると安定した構造体に成形することができる。
特に、椨粉を混入して練ると椨の繊維が微細な空隙構造を提供することにより、成形体の内部で発生したラドンガスを成形体表面に導出する効果がすぐれ、成形体自身の自己遮蔽効果をかなり防止することができる。この成形体は用途に応じてチップ状、球状あるいは板状等、如何様にも成形可能であり、ラドンガスの発生量が粉末ラジウム鉱石と同等であり最も高いラドンガス発生源を得ることができた。
上記のように、本考案は、ラドンガス発生源を封入した金網などの支持構造体を上下あるいは水平に間隔をおいて多数積層し、各積層体上で発生させたラドンガスをラドンガス発生槽に蓄え、これを送風機の駆動による通風によって居間、溶室、寝室、事務室、休養室などの特定の場所、空間に効率よく送り出すことができる。
【課題を解決するための手段】
【０００６】
上記課題を解決するため本考案の請求項１は、ラドンガス発生槽の一方に送風機を備えた空気導入口を設け、槽の他方に取出し口を設けると共に、槽内の底部近くから中ほどにかけてラドンガス発生源の支持網を多層に敷き並べ、送風機の駆動により通風して各支持網上に支持させたラドンガス発生源からラドンガスを発生させて槽の取出口から取出すようにしたラドンガス発生装置である。請求項２は、前記ラドンガス発生源の支持網が送風流れと直交して配置され、かつ空気流れに対し併流状態となるようにしていることを特徴とする請求項１に記載のラドンガス発生装置である。請求項３は、前記ラドンガス発生源を多層の支持網間に装入したカ−トリッジ式構造体が気流の流れと直交する方向に垂直配置され、且つ気流の流れの方向に複数段配置されている請求項１に記載のラドンガス発生装置であり、請求項４は、前記ラドンガス発生源は、ラジウム鉱石片又はラジウム鉱石粉に、粘土、セメント、化学接着剤、麦粉、椨粉（たぶこ）などの賦形剤を混練し固めて定形又は不定形の塊状もしくはブリケット状に成形されたものである請求項１から３のいずれか１つの項に記載のラドンガス発生装置である。
【考案の効果】
【０００７】
槽内の底部近くから中ほどにかけてラジウム鉱石片支持網を多層に敷き並べ、送風機の駆動により通風して各支持網上のラジウム鉱石片からラドンガスを発生させて槽上部の取出し口から取出すようにしたものであるから、身体表面に接触及び/または呼吸器系からラドンを吸入させて代謝機能を促進するほか、弱放射線療法によって生活習慣病等の予防・改善に寄与するため、簡易なラドンガス発生装置として有益である。
さらに、詳しく述べると、粉末ラジウム鉱石（ラドンガス発生源物質）に椨（タブ）の木皮を粉砕した椨粉を少量（例えば数重量％から２０重量％）加えて水で練りこみ、自然乾燥または素焼きして安定した構造体に成形する。特に、椨粉を混入して練ると椨の繊維が微細な空隙構造を提供することにより、成形体の内部で発生したラドンガスを成形体表面に導出する効果がすぐれ、成形体自身の自己遮蔽効果が向上する。この成形体は用途に応じてチップ状、球状あるいは板状等、如何様にも成形可能であり、ラドンガスの発生量が粉末ラジウム鉱石と同等であり最も高いラドンガス発生源としうるため、ラドンガス発生源を封入した金網などの支持構造体を上下に、あるいは水平に間隔をおいて多数積層し、各積層体上で発生させたラドンガスをラドンガス発生槽に蓄え、これを送風機の駆動による通風によって居間、溶室、寝室、事務室、休養室などの特定の場所、空間に効率よく送り出すことができる。また、ラジウムを含む鉱石の粉砕物を金網上に散布したものを上下間隔をおいて多数積層し、各積層体で発生させたラドンガスを送風機によって浴室や休養室などの空間に送り出すことによって各種病状に対する予防・改善効果を発揮することができる。
【図面の簡単な説明】
【０００８】
【図１】本考案ラドンガス発生装置の一部破断斜視図。
【図２】図１の縦断側面図。
【図３】ラジウム鉱石砕片支持体の平面図。
【図４】ラジウム鉱石砕片支持体を多数縦置きしたラドンガス発生装置の側面図。
【図５】図４における鉱石砕片支持体の１層分を拡大して示した断面図である。
【図６】ラジウム鉱石砕片支持体の垂直配列体をラドンガス発生装置内の長手方向に多数平行流型に配置した変形例の一部破断斜視図である。
【考案を実施するための形態】
【０００９】
図１は本考案ラドンガス発生装置の一部破断斜視図、図２は図１の縦断側面図、図３はラジウム鉱石砕片支持体の平面図である。
ラドンガス発生装置１は、ラドンガス発生槽２の一方に送風機４を備えた給気口（空気導入口）３を設け、ラドンガス発生槽２の上壁端近くにガス取出口１０を設けると共に、槽内の底部近くに所定高さの空気通路５を形成させ、その上方にラジウムを含む鉱石片あるいはそれを加工したチップ状や球状のラドンガス発生源物質６を支持させた金網８を多層に重ねたカートリッジ式支持構造体７が、送風流れと直交して複数段（図１では６段）配置されている。前記ラドンガス発生源であるラジウム鉱石片、又はラジウム鉱石粉に粘土、セメント、化学接着剤、麦粉、椨粉（たぶこ）などの賦形剤を少量（例えば数重量％から２０重量％）加えて水で練り混み、所定大きさの球体、円筒体などに成形し自然乾燥又は素焼きして安定した構造体とする。特に、椨粉を混入して練ると椨の繊維が微細な空隙構造を提供することにより、成形体の内部で発生したラドンガスを成形体表面に導出する効果がすぐれ、成形体自身の自己遮蔽効果が減少する。この成形体は用途に応じて球体、円筒体のブリケット以外にチップ状、板状、角柱状、多面体等、如何様にも成形可能である。
【００１０】
ラドンガス発生装置１の主体部であるラドンガス発生源２内は、送風機４から導入された空気によって、カートリッジ式網構造体７が送風流れと直交して配置され、かつ空気流れに対し併流状態を形成させている。支持構造体群はラドンガス発生源２内の隅部など適宜の箇所に配置した支持脚９によって槽内下部長手方向に適宜断面積を有する空気通路５が形成され、空気通路５からカートリッジ式支持構造体群７を透過上昇する送風流れに沿って各カートリッジ式構造体７のラドンガス発生源（ラドンガス発生源物質）６からラドンガスを発生させる。多層に積み上げた構造体７から発生したラドンガスを通気によって上昇させ、ガス取出口１０から外部に追い出してラドンガス源とする。ラドンガス発生源の槽２内に滞留したラドンガスは、槽内下流隅部の上壁に形成したガス取出し口１０から浴室、安静室（図示省略）などへ連続的に供給される。
【００１１】
図４はラドンガス発生装置の変形例を示すもので、ガス発生槽６内に多数のラドンガス発生源支持構造物を多数縦置き構造とした状態の断面図、図５は図４における鉱石砕片支持体の１層分の拡大断面図である。
この例のラドンガス発生源（鉱石片）支持体１２は、図５に示すように、ラドンガス発生源６を、例えば２枚の強固な網状物８ａの合掌体内に封入し、その合掌縁の数箇所をクリップ留め１３するなどの工夫をしたもので、これをガス発生槽１内に多数立設する。
このときのガス発生槽１は、図４に示すように、一方に送風機３を備えた給気口４を設け、他方にガス取出口１０を設ける。多層に列設したラドンガス発生源支持体１２から発生したラドンガスを矢印に示すごとく通気によって送り出し、ガス取出口１０から外部に追い出されて浴室、安静室（図示省略）などへ連続的に供給される。
【００１２】
図６は多数のラドンガス発生源支持体の垂直配列群を、ラドンガス発生装置内の長手方向に多数平行流型に配置した変形例の一部破断斜視図である。
この例は、ラドンガス発生槽１５の底部に長手方向に間隔をおき、且つ発生槽１５の内壁間に跨る多数の基台１６を設け、隣接する基台１６間に、金網などによってラドンガス発生源を挟込んだ支持構造物１４を発生槽１５の横断面方向に多数縦置きした構造としたもので、列設したラドンガス発生源支持構造物１４から発生したラドンガスは通気によって送り出され、ガス取出口１０から外部に追い出して浴室、安静室などへ連続的に供給される。
【産業上の利用可能性】
【００１３】
上記のように、本考案は、槽内の底部近くから中ほどにかけてラジウム鉱石片支持網を多層に敷き並べ、送風機の駆動により通風して各支持網上のラドンガス発生源からラドンガスを発生させて槽上部の取出口から取出すようにしたものであるから、身体表面に接触及び/または呼吸器系からラドンガスを吸入させて代謝機能を促進するほか、弱放射線療法によって生活習慣病等の予防、改善に寄与するため、簡易なラドンガス発生装置として有益なものである。
【符号の説明】
【００１４】
１  ラドンガス発生装置          ２  ラドンガス発生槽  
３  送風機                      ４  給気口  
５  空気通路                    ６  ラドンガス発生源物質（ラジウム鉱石片）
７  支持構造体                  ８  金網
８ａ  金網状物                  ９  支持脚
１０  ラドンガス取出口          １２  カートリッジ式構造体（鉱石片支持体）
１３  クリップ留め              １４  金網（支持構造物）  
１５  発生槽                    １６  カートリッジ式構造体の支持基台
【手続補正２】
【補正対象書類名】実用新案登録請求の範囲
【補正対象項目名】全文
【補正方法】変更
【補正の内容】
【実用新案登録請求の範囲】
【請求項１】
ラドンガス発生槽の一方に送風機を備えた空気導入口を設け、槽の他方に取出し口を設けると共に、槽内の底部近くから中ほどにかけてラドンガス発生源の支持網を多層に敷き並べ、送風機の駆動により通風して各支持網上に支持させたラドンガス発生源からラドンガスを発生させて槽の取出口から取出すようにしたラドンガス発生装置。  
【請求項２】
前記ラドンガス発生源の支持網が送風流れと直交して配置され、かつ空気流れに対し併流状態となるようにしていることを特徴とする請求項１に記載のラドンガス発生装置。      
【請求項３】
前記ラドンガス発生源を多層の支持網間に装入したカ−トリッジ式構造体が気流の流れと直交する方向に垂直配置され、且つ気流の流れの方向に複数段配置されている請求項１に記載のラドンガス発生装置。
【請求項４】
前記ラドンガス発生源は、ラジウム鉱石片又はラジウム鉱石粉に、粘土、セメント、化学接着剤、麦粉、椨粉（たぶこ）などの賦形剤を混練し固めて定形又は不定形の塊状もしくはブリケット状に成形されたものである請求項１から３のいずれか１つの項に記載のラドンガス発生装置。
【手続補正書】
【提出日】平成21年5月26日(2009.5.26)
【手続補正１】
【補正対象書類名】明細書
【補正対象項目名】０００７
【補正方法】変更
【補正の内容】
【０００７】
槽内の底部近くから中ほどにかけてラジウム鉱石片支持網を多層に敷き並べ、送風機の駆動により通風して各支持網上のラジウム鉱石片からラドンガスを発生させて槽上部の取出し口から取出すようにしたものであるから、身体表面に接触及び/または呼吸器系からラドンを吸入させて代謝機能を促進するほか、弱放射線療法によって生活習慣病等の予防・改善に寄与するため、簡易なラドンガス発生装置として有益である。
さらに、詳しく述べると、粉末ラジウム鉱石（ラドンガス発生源物質）に椨（タブ）の木皮を粉砕した椨粉を少量（例えば数重量％から２０重量％）加えて水で練りこみ、自然乾燥または素焼きして安定した構造体に成形する。特に、椨粉を混入して練ると椨の繊維が微細な空隙構造を提供することにより、成形体の内部で発生したラドンガスを成形体表面に導出する効果がすぐれ、成形体自身の自己遮蔽効果が減少する。この成形体は用途に応じてチップ状、球状あるいは板状等、如何様にも成形可能であり、ラドンガスの発生量が粉末ラジウム鉱石と同等であり最も高いラドンガス発生源としうるため、ラドンガス発生源を封入した金網などの支持構造体を上下に、あるいは水平に間隔をおいて多数積層し、各積層体上で発生させたラドンガスをラドンガス発生槽に蓄え、これを送風機の駆動による通風によって居間、溶室、寝室、事務室、休養室などの特定の場所、空間に効率よく送り出すことができる。また、ラジウムを含む鉱石の粉砕物を金網上に散布したものを上下間隔をおいて多数積層し、各積層体で発生させたラドンガスを送風機によって浴室や休養室などの空間に送り出すことによって各種病状に対する予防・改善効果を発揮することができる。